(57)【要約】  本開示の実施の形態は、無線通信システムにおけるデータ送信の方法及び装置、並びに無線通信システムにおけるデータ受信の方法及び装置に関する。データ受信の方法は、ＲＲＣメッセージに対する要求を、デフォルト伝送パラメータに基づいてネットワークノードに送信し、所定時間単位でＲＲＣメッセージをネットワークノードから受信することを有する。本開示の実施の形態により、端末装置がＲＲＣメッセージを必要とする場合にＲＲＣメッセージを要求することができ、従ってＲＲＣメッセージ送信は削減されることができ、そしてノード間の干渉は限定されることができ、ライセンスされていないスペクトル上で送信される場合、それら信号送信のために要求されるＬＢＴの数は削減されることができる。【選択図】図１
2019521621.tif 000002
【特許請求の範囲】
【請求項１】
無線通信システムにおいて、無線リソース制御（ＲＲＣ）メッセージを少なくとも含む情報を受信する方法であって、
デフォルト伝送パラメータに基づいて、ネットワークノードにＲＲＣメッセージに対する要求を送信し、
所定時間単位で前記ネットワークノードからＲＲＣメッセージを受信することを有する方法。
【請求項２】
ＲＲＣメッセージの送信に対する潜在的な時間単位を監視し、
監視された単位時間においてＲＲＣメッセージが発見されないことに応答して、前記要求の送信が実施される請求項１に記載の方法。
【請求項３】
更に、所定の応答ウィンドウサイズ、及び所定の送信タイミングの少なくとも１つに基づいて前記ＲＲＣメッセージをデコードする請求項１又は２に記載の方法。
【請求項４】
前記情報は基準信号を更に含み、
更に、ネットワークノードから周期的に送信される基準信号を受信する請求項１から３何れか１項に記載の方法。
【請求項５】
前記デフォルト伝送パラメータは、
所定のターゲット受信パワー、及び基準信号受信パワーに基づいて送信パワーを決定すること、
基準信号において運ばれるセル識別子、選択されたプリアンブルインデックス、プリアンブル期間制限、及び選択されたプリアンブルフォーマットの少なくとも１つに基づいて、前記要求に対するプリアンブルシーケンスを決定すること、並びに
前記要求に対する構成インデックを決定すること、
の少なくとも１つにより決定される請求項１から４何れか１項に記載の方法。
【請求項６】
前記ＲＲＣメッセージを受信することは、ＰＤＣＣＨ、及び／又はＰＤＳＣＨにおいてＲＲＣメッセージを受信することを含む請求項１から５何れか１項に記載の方法。
【請求項７】
前記ＲＲＣメッセージに対する要求を送信することは、上りリンク制御チャネルにおいて前記ＲＲＣメッセージに対する要求を送信することを含む請求項１から６何れか１項に記載の方法。
【請求項８】
更に、前記ＲＲＣメッセージを正常に取得することに失敗したことに応答して、前記ＲＲＣメッセージに対する要求の再送信を開始する請求項１から７何れか１項に記載の方法。
【請求項９】
前記基準信号は少なくともディスカバリー信号を含み、前記ＲＲＣメッセージは、マスタ情報ブロック（ＭＩＢ）、システム情報ブロック（ＳＩＢ）、及びページングメッセージの少なくとも１つを含む請求項４から８何れか１項に記載の方法。
【請求項１０】
無線通信システムにおいて、無線リソース制御（ＲＲＣ）メッセージを少なくとも含む情報を送信する方法であって、
所定伝送パラメータに基づいて端末装置から送信されるＲＲＣメッセージに対する要求を受信し、
前記ＲＲＣメッセージに対する要求に応答して、所定時間単位で、前記端末装置に前記ＲＲＣメッセージを送信することを有する方法。
【請求項１１】
前記ＲＲＣメッセージを前記端末装置に送信することは、所定の応答ウィンドウサイズ、及び所定の送信タイミングの少なくとも１つを用いて前記ＲＲＣメッセージを送信することを含む請求項１０に記載の方法。
【請求項１２】
前記ＲＲＣメッセージを前記端末装置に送信することは、ＰＤＣＣＨ、及び／又はＰＤＳＣＨにおいて前記ＲＲＣメッセージを送信することを含み、及び／又は、
前記ＲＲＣメッセージに対する要求が上りリンク制御チャネルにおいて受信される請求項１０又は１１に記載の方法。
【請求項１３】
前記情報は基準信号を更に含み、
端末装置に周期的に前記基準信号を送信することを更に有する請求項１０から１２何れか１項に記載の方法。
【請求項１４】
前記基準信号は少なくともディスカバリー信号を含み、前記ＲＲＣメッセージは、マスター情報ブロック（ＭＩＢ）、システム情報ブロック（ＳＩＢ）、及びページングメッセージの少なくとも１つを含む請求項１３に記載の方法。
【請求項１５】
無線通信システムにおいて、無線リソース制御（ＲＲＣ）メッセージを少なくとも含む情報を受信する装置であって、
デフォルト伝送パラメータに基づいて、ネットワークノードにＲＲＣメッセージに対する要求を送信するように構成されたＲＲＣ要求送信モジュールと、
所定時間単位で前記ネットワークノードからＲＲＣメッセージを受信するように構成されたＲＲＣメッセージ受信モジュールとを備える装置。
【請求項１６】
前記ＲＲＣメッセージの送信に対する潜在的な時間単位を監視するように構成された時間単位監視モジュールを更に有し、
前記要求送信モジュールは、監視された単位時間においてＲＲＣメッセージが発見されないことに応答して前記要求を送信するように更に構成される請求項１５に記載の装置。
【請求項１７】
所定の応答ウィンドウサイズ、及び所定の送信タイミングの少なくとも１つに基づいて前記ＲＲＣメッセージをデコードするように構成されたメッセージデコードモジュールを更に有する請求項１５又は１６に記載の装置。
【請求項１８】
前記情報は基準信号を更に含み、
ネットワークノードから周期的に送信される基準信号を受信するように構成された基準信号受信モジュールを更に有する請求項１５から１７何れか１項に記載の装置。
【請求項１９】
前記デフォルト伝送パラメータは、
所定のターゲット受信パワー、及び基準信号受信パワーに基づいて送信パワーを決定すること、
基準信号において運ばれるセル識別子、選択されたプリアンブルインデックス、プリアンブル期間制限、及び選択されたプリアンブルフォーマットの少なくとも１つに基づいて、前記要求に対するプリアンブルシーケンスを決定すること、並びに
前記要求に対する構成インデックを決定すること、
の少なくとも１つにより決定される請求項１５から１８何れか１項に記載の装置。
【請求項２０】
前記ＲＲＣメッセージ受信モジュールは、ＰＤＣＣＨ、及びＰＤＳＣＨの何れかにおいてＲＲＣメッセージを受信するように更に構成され、及び／又は、
前記要求送信モジュールは、上りリンク制御チャネルにおいて前記ＲＲＣメッセージに対する要求を送信するように更に構成される請求項１５から１９何れか１項に記載の装置。
【請求項２１】
前記ＲＲＣメッセージを正常に取得することに失敗したことに応答して、前記ＲＲＣメッセージに対する要求の再送信を開始するように構成された再送信開始ユニットを更に有する請求項１５から２０何れか１項に記載の装置。
【請求項２２】
前記基準信号は少なくともディスカバリー信号を含み、前記ＲＲＣメッセージは、マスター情報ブロック（ＭＩＢ）、システム情報ブロック（ＳＩＢ）、及びページングメッセージの少なくとも１つを含む請求項１８から２１何れか１項に記載の装置。
【請求項２３】
無線通信システムにおいて、無線リソース制御（ＲＲＣ）メッセージを少なくとも含む情報を送信する装置であって、
所定伝送パラメータに基づいて端末装置から送信されるＲＲＣメッセージに対する要求を受信するように構成されたＲＲＣ要求受信モジュールと、
前記ＲＲＣメッセージに対する要求に応答して、所定時間単位で、前記端末装置に前記ＲＲＣメッセージを送信するように構成されたＲＲＣメッセージ送信モジュールとを備える装置。
【請求項２４】
前記ＲＲＣメッセージ送信モジュールは、所定の応答ウィンドウサイズ、及び所定の送信タイミングの少なくとも１つを用いて前記ＲＲＣメッセージを送信するように更に構成される請求項２３に記載の装置。
【請求項２５】
前記ＲＲＣメッセージ送信モジュールは、ＰＤＣＣＨ、及び／又はＰＤＳＣＨにおいて前記ＲＲＣメッセージを送信するように更に構成され、及び／又は、
前記ＲＲＣ要求受信モジュールは、前記ＲＲＣメッセージに対する要求を上りリンク制御チャネルにおいて受信するように更に構成される請求項２３又は２４に記載の装置。
【請求項２６】
前記情報は基準信号を更に含み、
端末装置に周期的に前記基準信号を送信するように構成された基準信号送信モジュールを更に有する請求項２３から２５何れか１項に記載の装置。
【請求項２７】
前記基準信号は少なくともディスカバリー信号を含み、前記ＲＲＣメッセージは、マスター情報ブロック（ＭＩＢ）、システム情報ブロック（ＳＩＢ）、及びページングメッセージの少なくとも１つを含む請求項２６に記載の装置。
【発明の詳細な説明】
【技術分野】
【０００１】
本開示の非限定的かつ例示的な実施の形態は、全般的に、無線通信技術の分野に関し、特に、情報を送信する方法及び装置と、情報を受信する方法及び装置とに関する。
【背景技術】
【０００２】
無線データサービスのコンスタントな増加と共に、ライセンスされたキャリアリソースは限定され、コンスタントに増加するデータトラフィックに対処することが困難である。従って、ライセンスされていないキャリアリソースをデータ伝送に使用することが提案され、それは、大量の周波数リソースを費用対効果が高い方法で提供することができる。
【０００３】
近年、３ＧＰＰ（3rd Generation Partnership Project）組織は、Licensed-Assisted Accessの標準化を開始し、それは、端末装置へデータスピード向上をもたらすために、ライセンスされたキャリアリソースからスモールセル上のライセンスされていないキャリアリソースへのデータオフロードを導入する。ライセンスされていないキャリア上のデータ伝送に対して、チャネルがアイドルかどうかを検出するために、ＬＢＴ（Listen Before Talk）動作が実施される。ライセンスされていないキャリア上の伝送は、ＬＢＴ結果がチャネルがアイドルであることを示す場合にのみ実行され、そうでなければ、ライセンスされていないキャリア上で伝送は実行されない。従って、ＬＢＴにより、ライセンスされていないスペクトルにおける伝送機会は限られる。
【０００４】
通常、基準信号（ディスカバリー信号（ＤＲＳ：discovery signal）、及び無線リソース制御（ＲＲＣ：radio resource control）メッセージ（システム情報、ページングメッセージなど）は、共に、ユーザ機器（ＵＥ：user equipment）のような端末装置に送信される必要がある。それら信号は、しばしば異なる伝送周期性、及び異なる時間オフセットを有し、それらの間のいくつかの依存性を持つことがある。例えば、レガシーＬＴＥシステムにおけるＤＲＳ、マスタ情報ブロック（ＭＩＢ：Mater Information Block）、システム情報ブロック（ＳＩＢ: System Information Block）、及びページングメッセージは、異なる周期性及び異なる時間オフセットを有し、ＤＲＳ／ＭＩＢ／ＳＩＢ／ページングはそれらの間で互いに依存性を有する。これは、１つの信号の正常なデコードは、他の信号のデコードに依存し、従って、情報のいくつかが正常に受信できなかった場合、ＵＥは、全てのシステム情報を取得することができないことを意味する。そのようなケースにおいて、それはユーザエクスペリエンスに大きな影響を与える。また、エネルギー消費問題、及びノード間の干渉問題も存在し得る。
【０００５】
米国公開公報２０１６０１６５６３８号公報において、Ｅ−ＵＴＲＡＮに対する強化されたシステムアクセスのためのソリューションが開示され、それにおいて２段階システム情報伝送ソリューション、及び削減されたページングサイクルが提案されている。特に、この出願では、第１段階において、エリア内のセルグループの各セルに共通の第１システム情報がまずブロードキャストされ、次いで、セルグループ内のセルの間で変化することができる第２システム情報がブロードキャストされ、第２システム情報は第１システム情報より頻繁にブロードキャストされる。
【０００６】
技術ドキュメントRP-160870（「New WI: Work Item on Standalone LTE operation and dual connectivity operation in unlicensed spectrum」、Ericsson、3GPP RANP#72 meeting）は、共通サブフレームにおけるＤＲＳ、ＭＩＢ、及びＳＩＢスケジューリングをサポートする標準ＬＡＡを開示する。
【発明の概要】
【発明が解決しようとする課題】
【０００７】
しかしながら、ライセンスされていないスペクトル上の基準信号及びＲＲＣメッセージに対して、それらが異なる時刻に送信され場合、複数のＬＢＴの試行がやはり必要であり、それら情報伝送により、ノード間干渉は依然として存在する。
【０００８】
本開示において、従来技術における問題の少なくとも一部を軽減する、又は少なくとも緩和するため、無線通信システムにおいて、情報送信及び情報受信の新規なソリューションが提供される。
【課題を解決するための手段】
【０００９】
本開示の第１の態様によれば、無線通信システムにおいて、無線リソース制御（ＲＲＣ）メッセージを少なくとも含む情報を受信する方法が提供される。方法は、デフォルト伝送パラメータに基づいて、ネットワークノードにＲＲＣメッセージに対する要求を送信し、所定時間単位でネットワークノードからＲＲＣメッセージを受信することを有する。
【００１０】
本開示の第２の態様によれば、無線リソース制御（ＲＲＣ）メッセージを少なくとも含む情報を送信する方法が提供される。方法は、所定伝送パラメータに基づいて端末装置から送信されるＲＲＣメッセージに対する要求を受信し、ＲＲＣメッセージに対する要求に応答して、所定時間単位で、端末装置にＲＲＣメッセージを送信することを有する。
【００１１】
本開示の第３の態様によれば、無線通信システムにおいて、無線リソース制御（ＲＲＣ）メッセージを少なくとも含む情報を受信する装置が提供される。装置は、ＲＲＣ要求送信モジュールと、ＲＲＣメッセージ受信モジュールとを備える。ＲＲＣ要求送信モジュールは、デフォルト伝送パラメータに基づいて、ネットワークノードにＲＲＣメッセージに対する要求を送信するように構成される。ＲＲＣメッセージ受信モジュールは、所定時間単位でネットワークノードからＲＲＣメッセージを受信するように構成される。
【００１２】
本開示の第４の態様によれば、無線リソース制御（ＲＲＣ）メッセージを少なくとも含む情報を送信する装置が提供される。装置は、ＲＲＣ要求受信モジュールと、ＲＲＣメッセージ送信モジュールとを備える。ＲＲＣ要求受信モジュールは、所定伝送パラメータに基づいて端末装置から送信されるＲＲＣメッセージに対する要求を受信するように構成される。ＲＲＣメッセージ送信モジュールは、ＲＲＣメッセージに対する要求に応答して、所定時間単位で、端末装置にＲＲＣメッセージを送信するように構成される。
【００１３】
本開示の第５の態様によれば、コンピュータプログラムコードが取り込まれたコンピュータストレージ記録メディアが提供され、コンピュータプログラムコードは、実行された場合、装置に第１の態様における任意の実施形態に従う方法における動作を実行させるように構成される。
【００１４】
本開示の第６の態様によれば、コンピュータプログラムコードが取り込まれたコンピュータストレージ記録メディアが提供され、コンピュータプログラムコードは、実行された場合、装置に第２の態様における任意の実施形態に従う方法における動作を実行させるように構成される。
【００１５】
本開示の第７の態様によれば、第５の態様によるコンピュータストレージ記録メディアを有するコンピュータプログラムプロダクトが提供される。
【００１６】
本開示の第８の態様によれば、第６の態様によるコンピュータストレージ記録メディアを有するコンピュータプログラムプロダクトが提供される。
【００１７】
本開示の実施の形態は、情報送信及び受信に対する新規なソリューションを提供し、それにおいて、端末装置がＲＲＣメッセージを必要とする場合、端末装置からのＲＲＣメッセージ要求に応じてＲＲＣメッセージが送信される。そのように、ＲＲＣメッセージ送信は削減されることができ、今度は、ノード間の干渉は限定されることができ、ライセンスされていないスペクトル上で送信される場合、それら信号送信のために要求されるＬＢＴの数は削減されることができる。
【図面の簡単な説明】
【００１８】
本開示の上記及び他の特徴は、添付図面を参照して実施形態において説明される実施形態の詳細な説明を通じて明らかになるであろう。添付図面において、同じ参照符号は、同じ又は類似のコンポーネントを表す。
【００１９】
【図１】図１は、本開示の一実施形態に係る無線通信システムにおける情報を受信する方法のフローチャートを概略的に示す。
【００２０】
【図２】図２は、本開示の例示の実施の形態に係る要求に対するデフォルト伝送パラメータを決定するための方法のフローチャートを概略的に示す。
【００２１】
【図３】図３は、本開示の一実施形態に係る無線通信システムにおける情報を送信するための方法のフローチャートを概略的に示す。
【００２２】
【図４】図４は、本開示の特定の実装に係る無線通信システムにおける情報送信及び受信の方法のフローチャートを概略的に示す。
【００２３】
【図５】図５は、本開示の一実施形態に係る無線通信システムにおける情報を受信する装置のブロック図を概略的に示す。
【００２４】
【図６】図６は、本開示の一実施形態に係る無線通信システムにおいて情報を送信する装置のブロック図を概略的に示す。
【００２５】
【図７】図７は、ＵＥとして具現化され、又はＵＥに含まれ得る装置７１０、及び本明細書に説明される無線通信システムにおける基地局として具現化され、又は基地局に含まれ得る装置７２０の簡略化されたブロック図。
【発明を実施するための形態】
【００２６】
以下、添付図面を参照しつつ、本開示において提供されるソリューションが実施形態を通じて詳細に説明される。なお、これら実施形態は、当業者が本開示をより理解し、実施することを可能にするためにのみ提供され、いかなる態様においても本開示の範囲を限定するものではない。
【００２７】
添付図において、本開示の種々の実施形態がブロック図、フローチャート、及び他の図において説明される。フローチャートにおける各ブロック又は複数のブロックは、モジュール、プログラム、又は特定の論理機能を実施するための１以上の実行可能な命令を含むコードの一部を表すことができ、本開示において、必ずしも必要ではないブロックは破線で示される。また、これらブロックは、方法のステップを実施するための特定のシーケンスにおいて描かれているが、実際には、これらブロックは厳密に示されるシーケンスに従って実施される必要はない。例えば、ブロックは、逆のシーケンス又は同時に実施されることがあり、これは、それぞれの動作の性質に依存する。なお、ブロック図及び／又はフローチャートにおける各ブロック、並びにそれらの組み合わせは、特定の機能／操作を実施するための専用のハードウェアベースのシステム、又は専用ハードウェアとコンピュータ命令との組み合わせにより実現され得る。
【００２８】
全般的に、請求の範囲において使用される用語は、本明細書において明示的に定義されていない限り、技術分野における通常の意味に従って解釈される。“a/an/the/said「要素、デバイス、コンポーネント、手段、ステップなど」”への言及は、そうでないと明示的に宣言されていない限り、複数のそのようなデバイス、コンポーネント、手段、ユニット、ステップなどを排除することなく、少なくとも１つの要素、デバイス、コンポーネント、手段、ユニットステップなどのインスタンスへの言及としてオープンに解釈される。また、本明細書において用いられる不定冠詞“a/an”は、複数のそのようなステップ、ユニット、モジュール、デバイス、及びオブジェクトなどを排除するものではない。
【００２９】
加えて、本開示の文脈において、ユーザ機器（ＵＥ：User Equipment）は、端末、モバイル端末（ＭＴ：Mobile Terminal）、加入者局（ＳＳ：Subscriber Station）、携帯加入者局（ＰＳＳ：Portable Subscriber Station）、モバイル局（ＭＳ：Mobile Station）、又はアクセス端末（ＡＴ：Access Terminal）を参照することがあり、ＵＥ、端末、ＭＴ、ＳＳ、ＰＳＳ、ＭＳ、又はＡＴのいくつかの又は全ての機能が含まれ得る。更に、本開示の文脈において、用語“ＢＳ”は、例えばノードＢ（ＮｏｄｅＢ又はＮＢ）、エボルブドＮｏｄｅＢ（ｅＮｏｄｅＢ又はｅＮＢ）、ラジオヘッダ（ＲＨ：Radio Header）、リモートラジオヘッド（ＲＲＨ：Remote Radio Head）、リレー、又はフェムト、ピコなどの低電力ノード、などを表し得る。
【００３０】
上記で述べたように、既存のソリューションにおいて、基準信号及びＲＲＣメッセージ送信は複数のＬＢＴの試行を要求し、ノード間の干渉も生じる。従って、本開示では、それら問題を解消するため、情報送信及び受信の新規なソリューションが提供される。本開示において、ＵＥなどの端末装置は、端末装置がＲＲＣメッセージを必要とするとき、デフォルト伝送パラメータに基づいてＲＲＣメッセージを要求し、ＮＢやｅＮＢなどのサービングノードは、端末装置から要求を受信した場合、要求した端末装置にＲＲＣメッセージを送信することができることが提案される。このように、ＲＲＣメッセージは、それが必要とされるときにだけ送信され、従って、ＲＲＣメッセージ送信は削減することができ、ノード間の干渉は限定されることができ、それら信号がライセンスされていないスペクトル上で送信されるとき、それらの送信に必要とされるＬＢＴの数は削減されることができる。以下、情報送信及び受信のソリューションが、本明細書に添付される添付図面を参照して詳細に説明される。
【００３１】
最初に図１が参照され、それは、本開示の一実施形態に係る無線通信システムにおける情報を受信する方法１００のフローチャートを概略的に示す。方法１００は、端末装置、例えばＵＥ、又はその他の端末装置で実行されることができる。
【００３２】
図１に示されるように、最初にステップＳ１０１において、ＲＲＣメッセージに対する要求が、デフォルト伝送パラメータに基づいてネットワークノードに送信される。本開示の実施の形態において、ＲＲＣメッセージは、ＲＲＣ情報要素、セキュリティ制御情報要素、モビリティ制御情報要素、測定情報要素、他の情報要素、マルチメディアブロードキャストマルチキャストサービス（ＭＢＭＳ：Multimedia Broadcast Multicast Service）情報要素、シングルセルポイントツーマルチポイント（ＳＣ−ＰＴＭ：Single Cell-Point To Multipoint）情報要素、サイドリンク情報要素、システム情報ブロック（ＳＩＢ）、マスター情報ブロック（ＭＩＢ）、ページングメッセージ、及び将来において新規に定義される他のＲＲＣメッセージの何れかを含み得る。
【００３３】
以下、説明の目的で、ＭＩＢ及びＳＩＢがＲＲＣエッセー時の例として説明される。しかしながら、当業者は、本開示はそれら特定の例には限定されず、本開示はページングメッセージのような任意の種類のＲＲＣメッセージにも同様に適用できることに気づくであろう。
【００３４】
ＲＲＣメッセージに対する要求は、上りリンク制御チャネル、例えばＰＲＡＣＨ（Physical Random Access Channel）、ＰＵＣＣＨ（Physical Uplink Control Channel）、ＰＵＳＣＨ（Physical Uplink Shared Channel）などにおいて送信されることができる。加えて、ＲＲＣメッセージに対する要求は、上りリンク基準信号においても送信され得る。
【００３５】
本開示の実施の形態において、ＵＥは、ＵＥがＲＲＣメッセージを必要とし、ＲＲＣメッセージを受信していらず、従ってこのときＵＥはＲＲＣメッセージ伝送パラエータを学習していない場合、ＲＲＣメッセージを要求する。従って、本開示において、デフォルト伝送パラメータを用いてＲＲＣメッセージに対する要求を送信することが提案される。次いで、説明の目的で、ＲＲＣメッセージに対してデフォルト伝送パラメータを決定する方法を説明するため、図２が参照される。
【００３６】
図２は、本開示の例示の実施の形態に係る要求に対するデフォルト伝送パラメータを決定するための方法のフローチャートを概略的に示す。方法２００は、端末装置、例えばＵＥ、又は他の端末装置で実行されることができる。図２に示されるように、ステップ２０１において、送信パワーが決定される。送信パワーの決定は、例えば所定のターゲット受信パワー、及び基準信号受信パワーに基づき得る。基準信号受信パワーは、基準値であり、所定の又はデフォルトのターゲット受信パワーは同様に取得されることができる。従って、２つのパラメータを使用することにより、ＲＲＣメッセージに対する送信パワーを決定することができる。
【００３７】
次いで、ステップ２０２において、リクエストに対するプリアンブルシーケンスが、基準信号において運ばれるセル識別子、選択されたプリアンブルインデックス、プリアンブル期間制限、及び選択されたプリアンブルフォーマットの少なくとも１つに基づいて決定される。例えば、最初にＲＲＣメッセージに使用されるためのデフォルトプリアンブルセットが取得されてもよく、ＵＥは、ディスカバリー基準信号（ＤＲＳ）において運ばれるセルｉｄに基づいてデフォルトプリアンブルからセル特定プリアンブルセットを決定する。その後、ＵＥは、プリアンブルインデックスをランダムに、又は所定ルールに基づいて選択することができる。プリアンブル期間制限が設定され得る。例えば、プリアンブル期間は、１ｍｓ又は他の適切な値に制限される。次いで、適切なプリアンブルフォーマットが選択されることができる。このようにして、プリアンブルインデックス、プリアンブル期間制限、選択されたプリアンブルフォーマットに基づいて、セル特定プリアンブルセットから、要求に対するプリアンブルシーケンスを決定し得る。ＲＲＣメッセージに対するプリアンブルシーケンスは、レガシーシーケンス、すなわちレガシーシステムにおいて使用されるそれらシーケンスであることができる。あるいは、代替的に、ＲＲＣメッセージに対するプリアンブルシーケンスは、新規に定義されたセル特定シーケンスであることができる。
【００３８】
次に、ステップ２０３において、要求に対する構成インデックスを決定し得る。構成インデックスは、あらかじめ決定された、又はデフォルトのインデックスであり得る。そして、ＲＲＣメッセージに対する要求は、例えばサブフレームの境界から送信されることができる。
【００３９】
このようにして、ＵＥは、ＲＲＣメッセージに対するデフォルト伝送パラメータを決定できる。しかしながら、上記で説明した方法は、説明の目的のためにのみ与えられ、本開示はこれには限定されない。例えば、ステップを実行する順序は変更されることができる。ステップのそれぞれは、修正することができ、或いは他の異なるステップと共に使用するために別々に取ることができる。これらすべての変更は、本開示の精神から逸脱するものではなく、本開示の範囲内に含まれる。
【００４０】
ＲＲＣメッセージに対する要求に応答して、ｅＮＢのようなサービングノードは、要求されたＲＲＣ情報を含むフィードバックを、所定のタイミングでＵＥに送信する。
ｅＮＢについての詳細な動作は、図３を参照して以下の文脈で説明され、ここでは詳しく説明されない。
【００４１】
続いて、図１に戻り、ステップ１０２において、ＵＥは、所定時間単位で、例えば所定サブフレーム以内に、ＲＲＣメッセージを受信する。別の言い方をすれば、ＲＲＣメッセージに対する要求が送信された後、ＲＲＣメッセージがｅＮＢから送信され、ＵＥは、あらかじめ定義された時間／周波数リソースにおいてＲＲＣメッセージを受信することができる。ＲＲＣメッセージは、物理下りリンク制御チャネル（ＰＤＣＣＨ：Physical Downlink Control Channel）、及び／又は物理下りリンク共有チャネル（ＰＤＳＣＨ：Physical Downlink Shared Channel）により運ばれることができる。
【００４２】
応答ウィンドウサイズ、及び／又は所定のタイミングが使用されることでき、それらはＵＥにより学習されることができ、従ってＵＥは、ＲＲＣメッセージにおいて情報を取得できる。換言すれば、ＲＲＣメッセージは、所定の応答ウィンドウサイズ、及び所定の送信タイミングの少なくとも１つに基づいてデコードされることができる。これに加えて、又は代えて、ＵＥは、デフォルトスクランブル値、並びにＣＲＣデスクランブルＲＮＴＩのためのｔ＿ｉｄ及びｆ＿ｉｄの値も知る必要がある。これら情報はあらかじめ決定され、又はデフォルトであることができ、ＵＥにより容易に学習されることができる。従って、ＲＲＣメッセージは取得されることができ、更なる下りリンク又は上りリンク伝送は更に処理されることができる。
【００４３】
しかしながら、ＲＲＣメッセージが正常に受信されなかった場合、ＵＥは、ＲＲＣメッセージに対する再送信を開始してもよい。要求再送信において、パワーランピング、及び／又は最大送信回数が、例えばＬＴＥ仕様書においてあらかじめ定義されたデフォルト値に基づいて決定されることができる。
【００４４】
加えて、基準信号は、ＲＲＣメッセージ送信において有用である。本開示の実施の形態において、基準信号は、例えば、ディスカバリー信号、セル基準信号（ＣＲＳ：cell reference signal）、チャネル状態情報基準信号（ＣＳＩ−ＲＳ：channel status information reference signal）、プライマリ同期信号（ＰＳＳ：primary synchronization signal）、二次同期信号（ＳＳＳ：secondary synchronization signal）、又は基準信号の任意の他の種類の何れかを含み得る。本開示の一実施形態において、ＵＥは、ネットワークノードから周期的に送信される基準信号を受信できる。これは、ＤＲＳのような基準信号は定期的に送信されることができる一方、ＲＲＣメッセージはＵＥの要求に基づいて送信されることができることを意味する。
【００４５】
続いて、サービングノードでの動作を説明するために、図３が参照される。図３は、本開示の一実施形態に係る無線通信システムにおける情報を送信する方法のフローチャートを概略的に示す。方法３００は、サービングノード、例えばノードＢ（ＮｏｄｅＢ又はＮＢ）のようなＢＳで実行されることができる。
【００４６】
図３に示されるように、ステップ３０１において、ｅＮＢは、デフォルト伝送パラメータに基づいて端末装置から送信されたＲＲＣメッセージに対する要求を受信する。本開示の実施の形態において、ＲＲＣメッセージは、ＲＲＣ情報要素、セキュリティ制御情報要素、モビリティ制御情報要素、測定情報要素、他の情報要素、マルチメディアブロードキャストマルチキャストサービス（ＭＢＭＳ：Multimedia Broadcast Multicast Service）情報要素、シングルセルポイントツーマルチポイント（ＳＣ−ＰＴＭ：Single Cell-Point To Multipoint）情報要素、サイドリンク情報要素、システム情報ブロック（ＳＩＢ）、マスター情報ブロック（ＭＩＢ）、ページングメッセージ、及び将来において新規に定義される他のＲＲＣメッセージの何れかを含み得る。
【００４７】
ＲＲＣメッセージに対する要求は、ＰＲＡＣＨ、ＰＵＣＣＨ、ＰＵＳＣＨ、などのような上りリンク制御チャネルにおいて受信され得る。加えて、ＲＲＣメッセージに対する要求は、上りリンク基準信号において受信されてもよい。
【００４８】
ｅＮＢは、非送信サブフレームにおいてＲＲＣメッセージに対する要求をブラインドデコードする。ｅＮＢが正常に要求をデコードした場合、ステップ３０２において、ｅＮＢは、ＲＲＣメッセージに対する要求に応答して、所定時間単位で、ＲＲＣメッセージをフィードバックとして端末装置に送信する。フィードバックは、ＰＤＣＣＨ、及び／又はＰＤＳＣＨにより運ばれることができる。デフォルト値、例えば１に設定されるデフォルト応答ウィンドウサイズが使用できる。送信タイミングは、同様にあらかじめ定義されることができる。例えば、フィードバックタイミングはｎ＋４に設定されることができ、ここで、ｎは要求送信サブフレームインデックスである。あらかじめ定義された送信タイミングは、要求される周期性及びオフセットを満たす最も近い次のサブフレームであることもできる。そのため、ワーストケースは、周期的なＲＲＣメッセージ送信である。
【００４９】
加えて、基準信号は、端末装置に周期的に送信されることができ、従って、端末装置は、ＲＲＣメッセージに対する要求を送信するために十分な基準信号情報を学習できる。本開示の実施の形態において、基準信号は、例えば、ディスカバリー信号（ＤＲＳ）、セル基準信号（ＣＲＳ）、チャネル状態情報基準信号（ＣＳＩ−ＲＳ）、プライマリ同期信号（ＰＳＳ）、二次同期信号（ＳＳＳ）、又は基準信号の任意の他の種類の何れかを含み得る。
【００５０】
説明の目的のため、本開示の特定の実施の形態に係る、情報送信及び受信の全システムフローチャートを説明するために、次に図４が参照される。この特定の実装において、ＤＲＳが基準信号の例として取られ、ＳＩＢ、ＭＩＢなどを含むシステム情報が、ＲＲＣメッセージの例として取られる。しかしながら、当業者は、それらは単に説明の目的で与えられ、本開示において提案されるソリューションを使用することにより、他の基準信号、及び／又は他のＲＲＣメッセージが、同様に送信されることができることを理解する。
【００５１】
まず、ステップ４０１において、ｅＮＢは周期的にＤＲＳを送信する。ＵＥは、ＤＲＳ検出に基づいて、ＤＲＳから、時間／周波数同期、及びサブフレームインデックスを得ることができる。ＵＥがシステム情報を必要とする場合、その後、ステップ４０２において、潜在的にシステム情報を送信するサブフレームを監視する。例えば、ＵＥは、ＤＲＳサブフレーム以外のサブフレーム上のエネルギーを監視する。
【００５２】
ステップ４０３において、ステップ４０２における監視を通じてシステムが検出されたかを判断する。サブフレームにおいてエネルギーが検出され、そのサブフレームがシステム情報送信サブフレーム（例えばサブフレーム０）である可能性がある場合、ＵＥは、システム情報を取得するために、そのサブフレームをブラインドデコードし得る。このようにして、方法は、システム情報が更なる処理、例えば、更なる上りリンク処理、及び／又は更なる下りリンク処理のために使用されることができるステップ４０９に直接に向かう。一方、ＵＥが潜在的なサブフレームにおいてシステム情報を検出できない、すなわちエネルギーが検出されず、システム情報がまだ利用可能でない場合、ＵＥは、ステップ４０４において、デフォルト伝送パラメータに基づいてＰＲＡＣＨを送信する。ＰＲＡＣＨは、それがシステム情報に対する要求に関連することを示す特別なインディケータを含み得る。デフォルト伝送パラメータは、例えば、図２を参照して説明した方法を用いて決定されることができ、ここでは詳しく説明されない。
【００５３】
ステップ４０５において、ｅＮＢは端末装置からＰＲＡＣＨを受信し、非送信サブフレームにおけるＰＲＡＣＨをブラインドデコードする。ＰＲＡＣＨが正常にデコードされた場合、ステップ４０６において、ｅＮＢは、所定の時点で、システム情報をフィードバックとして送信し得る。フィードバックは、ＰＤＣＣＨ、及び／又はＰＤＳＣＨを用いることにより運ばれ得る。デフォルトウィンドウサイズは、デフォルト値、例えば１に設定され使用されることができる。送信タイミングも、あらかじめ定義されることができる。例えば、フィードバックタイミングは、ｎ＋４に設定され、ここでｎはＰＲＡＣＨ送信サブフレームインデックスである。あらかじめ定義された送信タイミングは、周期性及びオフセットを満たす最も近い次のサブフレームであることもできる。そのため、ワーストケースは、周期的なシステム情報送信である。システム情報は、ＰＤＳＣＨにおいて運ばれることができる。
【００５４】
ＰＲＡＣＨ送信の後、ステップ４０７において、ＵＥは、所定サブフレームでｅＮＢから送信されたシステム情報を受信する。言い換えれば、ＵＥは、あらかじめ定義された時間／周波数リソースにおいてシステム情報を受信し、ＵＥは、デフォルト応答ウィンドウサイズ、あらかじめ定義された送信タイミング、デフォルトスクランブル値、並びにＣＲＣデスクランブルＲＮＴＩのためのｔ＿ｉｄ及びｆ＿ｉｄの値の少なくとも１つに基づいて、システム情報をデコードできる。
【００５５】
ステップ４０８においてシステム情報が正常にデコードされたとき、システム情報は取得されることができ、方法は、更なる下りリンク／上りリンク伝送も処理されることができるステップ４０９に進む。
【００５６】
ステップ４０８においてシステム情報が正常にデコードされない場合、方法は、ＰＲＡＣＨ送信を実施するためにステップ４０２に戻る。ＰＲＡＣＨ送信に対して、パワーランピング、及び／又は最大送信回数が、例えばＬＴＥ仕様書によりあらかじめ定義されたデフォルト値に基づいて決定されることができる。
【００５７】
このようにして、本開示において、ＵＥなどの端末装置が、ＲＲＣメッセージを必要とするとき、デフォルト伝送パラメータに基づいてＲＲＣメッセージを要求し、ＮＢやｅＮＢなどのサービングノードは、端末装置からリクエストを受信した場合、要求した端末装置にＲＲＣメッセージを送信できることが提案される。従って、ＲＲＣメッセージは、必要とされる場合のみ送信されることができ、従ってＲＲＣメッセージ送信は削減でき、ノード間の干渉は限定され、それらがライセンスされていないスペクトル上で送信される場合にそれら信号送信に要求されるＬＢＴの数が削減できる。
【００５８】
また、本開示において、無線通信システムにおける情報受信および送信のための装置も提供され、それらは次に図５及び図６を参照して説明される。
【００５９】
図５は、本開示の一実施形態に係る無線通信システムにおける情報を受信する装置５００のブロック図を概略的に示す。装置５００は、端末装置、例えばＵＥ又は他の適切な端末装置に実装されることができる。
【００６０】
図５に示される実施形態において、情報は、少なくとも無線リソース制御（ＲＲＣ）メッセージを含む。図５に示されるように、装置５００は、ＲＲＣ要求送信モジュール５０１、及びＲＲＣメッセージ受信モジュール５０２を含み得る。ＲＲＣ要求送信モジュール５０１は、デフォルト伝送パラメータに基づいて、ＲＲＣメッセージに対する要求をネットワークノードに送信するように構成されることができる。ＲＲＣメッセージ受信モジュール５０２は、所定単位時間でネットワークノードからＲＲＣメッセージを受信するように構成されることができる。
【００６１】
本開示の一実施形態において、装置５００は、時間単位監視モジュール５０３を更に有し得る。時間単位監視モジュール５０３は、ＲＲＣメッセージ送信に対する潜在的な時間単位を監視するように構成されることができる。その場合、要求送信モジュール５０１は、監視された時間単位においてＲＲＣメッセージが発見できなかったことに応答して要求を送信するように更に構成されることができる。
【００６２】
本開示の他の実施の形態において、装置５００は、更にメッセージデコードモジュール５０４を有し得る。メッセージデコードモジュール５０４は、所定応答ウィンドウサイズ、及び所定送信タイミングの少なくとも１つに基づいてＲＲＣメッセージをデコードするように構成され得る。
【００６３】
本開示の更なる実施の形態において、情報は基準信号を更に含んでいてもよく、装置５００は、基準信号受信モジュール５０５を更に有し得る。基準信号受信モジュール５０５は、ネットワークノードから周期的に送信される基準信号を受信するように構成され得る。
【００６４】
本開示の更なる実施の形態において、デフォルト伝送パラメータは、所定のターゲット受信パワー、及び基準信号受信パワーに基づいて送信パワーを決定すること、基準信号において運ばれるセル識別子、選択されたプリアンブルインデックス、プリアンブル期間制限、及び選択されたプリアンブルフォーマットの少なくとも１つに基づいて要求に対するプリアンブルシーケンスを決定すること、並びに要求に対する構成インデックを決定すること、少なくとも１つにより決定され得る。
【００６５】
本開示の更なる実施の形態において、メッセージ受信モジュール５０２は、ＰＤＣＣＨ、及び／又はＰＤＳＣＨにおいてＲＲＣメッセージを受信するように更に構成され得る。これに加えて、又は代えて、要求送信モジュール５０１は、上りリンク制御チャネルにおいてＲＲＣメッセージに対する要求を送信するように更に構成されていてもよい。
【００６６】
本開示の他の実施の形態において、装置５００は、再送信開始ユニット５０６を更に有し得る。再送信開始ユニット５０６は、ＲＲＣメッセージを正常に取得することに失敗したことに応答して、ＲＲＣに対する要求の再送信を開始するように構成され得る。
【００６７】
本開示の更なる実施の形態において、基準信号は少なくともディスカバリー信号を含んでいればよく、ＲＲＣメッセージは、マスタ情報ブロック（ＭＩＢ）、システム情報ブロック（ＳＩＢ）、及びページングメッセージの少なくとも１つを含み得る。
【００６８】
図６は、更に、本開示の一実施形態に係る無線通信システムにおいて情報を送信する装置６００のブロック図を概略的に示す。装置６００は、サービングノード、例えばノードＢ（ＮｏｄｅＢ又はＮＢ）のようなＢＳで実行されることができる。
【００６９】
図６に示される実施の形態において、情報は、少なくとも無線リソース制御（ＲＲＣ）メッセージを含み、図６に示されるように、装置６００は、ＲＲＣ要求受信モジュール６０１、及びＲＲＣメッセージ送信モジュール６０２を有する。ＲＲＣ要求受信モジュール６０１は、端末装置からデフォルト伝送パターンに基づいて送信されたＲＲＣメッセージに対する要求を受信するように構成されることができる。ＲＲＣメッセージ送信モジュール６０２は、ＲＲＣメッセージに対する要求に応答して、所定時間単位で、ＲＲＣメッセージを端末装置に送信するように構成されることができる。
【００７０】
本開示の一実施形態において、ＲＲＣメッセージ送信モジュール６０２は、更に、所定応答ウィンドウサイズ、及び所定送信タイミングの少なくとも１つを使用することによりＲＲＣメッセージを送信するように構成され得る。
【００７１】
本開示の他の実施形態において、ＲＲＣメッセージ送信モジュール６０２は、更に、ＰＤＣＣＨ、及び／又はＰＤＳＣＨにおいてＲＲＣメッセージを送信するように構成され得る。
【００７２】
本開示の更なる実施の形態において、ＲＲＣ要求受信モジュール６０１は、更に、上りリンク制御チャネルにおいてＲＲＣメッセージに対する要求を受信するように構成され得る。
【００７３】
本開示の更なる実施の形態において、情報は、基準信号を更に含んでいてもよく、装置６００は、基準信号送信モジュール６０３を更に有していてもよい。基準信号送信モジュール６０３は、周期的に端末装置に基準信号を送信するように構成されることができる。
【００７４】
本開示の更なる実施の形態において、基準信号は、少なくともディスカバリー信号を含んでいてもよく、ＲＲＣメッセージは、マスター情報ブロック（ＭＩＢ）、システム情報ブロック（ＳＩＢ）、及びページングメッセージの少なくとも１つを含んでいてよい。
【００７５】
ここまで、装置５００及び６００が図５及び６を参照して説明された。装置５００及び６００は、図１から図４を参照して説明した機能を実施するように構成され得る。従って、それら装置におけるモジュールの動作についての詳細について、図１から図４を参照する方法のそれぞれのステップに関してなされたそれらの説明を参照し得る。
【００７６】
さらに、装置５００及び６００の構成要素は、ハードウェア、ソフトウェア、ファームウェア、及び／又は、それらの任意の組み合わせで、具体化され得る。例えば、装置５００及び６００の構成要素は、回路、プロセッサ、又は、任意の他の適切な選択デバイスによって、それぞれ実装されてもよい。当業者は、上記の例は説明のためのものに過ぎず限定するものではないことを理解する。本明細書で提供される教示から多くの変形、追加、削除、及び修正を容易に思いつくことができ、これらすべての変形、追加、削除、及び修正は、本開示の保護範囲に含まれる。
【００７７】
本開示のいくつかの実施形態において、装置５００及び６００は、それぞれ少なくとも１つのプロセッサを有し得る。本開示の実施形態と共に使用することに適した少なくとも１つのプロセッサは、例として、既に知られた、又は将来において開発される、一般的な及び特定の目的のプロセッサの双方を含み得る。装置５００、及び６００は、それぞれ少なくとも１つのメモリを有し得る。少なくとも１つのメモリは、例えば、半導体メモリデバイス、例えばＲＡＭ、ＲＯＭ、ＥＰＲＯＭ、ＥＥＰＲＯＭ及びフラッシュメモリデバイスを含み得る。少なくとも１つのメモリは、コンピュータが実行可能な命令のプログラムを格納するために使用され得る。プログラムは、任意の、高レベル、及び／又は低レベルのコンパイル可能又は解釈可能なプログラミング言語で記述され得る。実施形態に従って、コンピュータ実行可能な命令は、少なくとも１つのプロセッサと共に、装置５００、及び６００に、図１から図４をそれぞれ参照して議論されたような方法に従う動作を少なくとも実行させるように構成され得る。
【００７８】
上記では、ＤＲＳ、ＭＩＢ及びＳＩＢを含むシステム情報が説明されたが、それら信号は説明の目的のための例として与えられたに過ぎず、実際のところ、本開示はそこには限定されない。本開示のアイデアは、ＣＲＳ、ＣＳＩ−ＲＳ、ＰＳＳ、ＳＳＳなどのような他の基準信号、及び、ページングメッセージＲＲＣ情報要素、セキュリティ制御情報要素、モビリティ制御情報要素、測定情報要素、他の情報要素、ＭＢＭＳ情報要素、ＳＣ−ＰＴＭ情報要素、サイドリンク情報要素、及び将来において新規に定義される他のＲＲＣメッセージのような任意の他のＲＲＣメッセージにおいても適用可能である。
【００７９】
本開示は、主にライセンスされていないスペクトル、及びそれに対して大きな利益を提供することを説明したが、本開示は、ライセンスされていないスペクトルに限定されるものではなく、通常の通信にも適用されることができ、ノード間干渉の削減の利益を提供することができる。
【００８０】
図７は、無線通信ネットワークにおいてＵＥなどの端末装置として具現化され、又は端末装置に含まれ得る装置７１０、及び本明細書に説明されるＮＢ又はｅＮＢなどの基地局として具現化され、又は基地局に含まれ得る装置７２０の簡略化されたブロック図を更に示す。
【００８１】
装置７１０は、データプロセッサ（ＤＰ：Data Processor）などの少なくとも１つのプロセッサ７１１、及びプロセッサ７１１に結合された少なくとも１つのメモリ（ＭＥＭ）７１２を有する。装置７１０は、プロセッサ７１１に結合された送受信機（ＴＸ／ＲＸ）７１３を更に有することができ、それは、装置７２０に通信可能に接続するように動作可能であってよい。ＭＥＭ７１２は、プログラム（ＰＲＯＧ）７１４を格納する。ＰＲＯＧ７１４は、関連するプロセッサ７１１上で実行されたとき、装置７１０が本開示の実施形態に従って動作すること、例えば方法１００、２００を実行することを可能とする命令を含み得る。少なくとも１つのプロセッサ７１１と少なくとも１つのＭＥＭ７１２との組み合わせは、本開示の種々の実施形態を実施するのに適した処理手段７１５を形成し得る。
【００８２】
装置７２０は、ＤＰなどの少なくとも１つのプロセッサ７２１、プロセッサ７２１に結合された少なくとも１つのＭＥＭ７２２を有する。装置７２０は、プロセッサ７２１に結合された適切なＴＸ／ＲＸ７２３を更に有することができ、それは装置７１０と無線通信するために動作可能であってよい。ＭＥＭ７２２はＰＲＯＧ７２４を格納する。ＰＲＯＧ７２４は、関連するプロセッサ７２１上で実行されたとき、装置７２０が本開示の実施形態に従って動作すること、例えば方法３００を実行することを可能とする。少なくとも１つのプロセッサ７２１と少なくとも１つのＭＥＭ７２２との組み合わせは、本開示の種々の実施形態を実施するのに適した処理手段７２５を形成し得る。
【００８３】
本開示の種々の実施形態は、１以上のプロセッサ７１１、７２１によって実行されるプログラム、ソフトウェア、ファームウェア、ハードウェア、又はそれらの組み合わせにより実施され得る。
【００８４】
ＭＥＭ７１２及び７２２は、ローカルな技術環境に適した任意のタイプのものであってよく、非限定的な例として、半導体ベースのメモリデバイス、磁気メモリデバイス及びシステム、光学メモリデバイス及びシステム、固定されたメモリ及びリムーバブルメモリなどの任意の適したデータストレージ技術を用いて実装されてもよい。
【００８５】
プロセッサ７１１及び７２１は、ローカルな技術環境に適した任意のタイプのものであってよく、非限定的な例として、一般用途のコンピュータ、特定用途のコンピュータ、マイクロプロセッサ、デジタル信号プロセッサＤＰＳ、及びマルチコアプロセッサアーキテクチャに基づくプロセッサの１以上を含み得る。
【００８６】
加えて、本開示は、上記したコンピュータプログラムを含む担体も提供してもよく、その担体は、電気信号、光信号、無線信号、又はコンピュータ可読媒体の１つである。コンピュータ可読媒体は、例えば、ＲＡＭ（random access memory）、ＲＯＭ（read only memory）、フラッシュメモリ、磁気テープ、ＣＤ−ＲＯＭ、ＤＶＤ、及びＢｌｕｅ−ｒａｙディスクなどの光コンパクトディスク、又は電子メモリデバイスであり得る。
【００８７】
本明細書に記載の技術は、種々の手段により実施されることができ、一実施形態で説明される対応する装置の１以上の機能を実施する装置は、従来技術の手段だけでなく、一実施形態で説明される対応する装置の１以上の機能を実施するための手段をも有し、それは、別々の機能のための個別の手段、又は２以上の機能を実行するように構成され得る手段を有し得る。例えば、これら技術は、ハードウェア（１以上の装置）、ファームウェア（１以上の装置）、ソフトウェア（１以上のモジュール）、又はそれらの組み合わせにおいて実行され得る。ファームウェア又はソフトウェアについて、実装は、本明細書に説明される機能を実行するモジュール（例えばプロシージャ、機能、など）を通じてなされ得る。
【００８８】
本明細書における実施形態は、方法および装置のブロック図及びフローチャート図解を参照して上記で説明された。ブロック図及びフローチャート図解の各ブロック、並びにブロック図及びフローチャート図解内のブロックの組み合わせは、それぞれ、コンピュータプログラム命令を含む様々な手段により実行されることができることが理解されるであろう。これらコンピュータプログラム命令は、コンピュータ又は他のプログラム可能データ処理装置上で実行される命令がフローチャートブロックにおいて特定される機能を実行するための手段を生成するように、一般用途コンピュータ、特定用途コンピュータ、又は他のプログラム可能データ処理装置上にロードされ、マシンを生成しうる。
【００８９】
本明細書は、多数の特定の実施の詳細を含んでいるものの、これらは、実施の範囲又は請求される可能性がある範囲の限定として解釈されるべきではなく、特定の実施例の特定の実施形態に特有であり得る特徴の説明として解釈されるべきである。別個の実施形態の文脈において本明細書で説明される特定の特徴は、単一の実施形態において組み合わせて実施されてもよい。反対に、単一の実施形態の文脈で記載されている様々な特徴は、複数の実施形態で別々に、又は任意の適切なサブコンビネーションで実施することもできる。さらに、特徴は、特定の組み合わせで作用するものとして上述されており、当初はそのように主張されていたとしても、請求された組み合わせからの１つ以上の特徴は、場合によっては組み合わせから切り取られてもよく、請求された組み合わせは、サブコンビネーション又はサブコンビネーションのバリエーションに向けられてもよい。
【００９０】
技術が進歩するにつれて、本発明の概念は様々な方法で実施できることは、当業者には明らかであろう。上述の実施形態は、本開示を限定するものではなく説明するために与えられており、当業者が容易に理解するように、本開示の精神及び範囲から逸脱することなく改変および変形が可能であることを理解されるであろう。そのような改変及び変形は、開示及び添付の請求の範囲内にあると考えられる。本開示の保護範囲は、添付の請求の範囲によって規定される。
【図１】
2019521621.tif 000003
【図２】
2019521621.tif 000004
【図３】
2019521621.tif 000005
【図４】
2019521621.tif 000006
【図５】
2019521621.tif 000007
【図６】
2019521621.tif 000008
【図７】
2019521621.tif 000009
【国際調査報告】
2019521621.tif 000010
2019521621.tif 000011